【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
メチル化ポリスチレンであって、該ポリスチレンは、ペンダントＮ−ハラミン前駆基を有する少なくとも３％架橋されている、メチル化ポリスチレン。
【請求項２】
請求項１に記載のメチル化ポリスチレンであって、前記Ｎ−ハラミン前駆基は、ヒダントイン基を含む、メチル化ポリスチレン。
【請求項３】
請求項１に記載のメチル化ポリスチレンであって、前記Ｎ−ハラミン前駆基は、イミダゾリジノン基を含む、メチル化ポリスチレン。
【請求項４】
請求項１に記載のメチル化ポリスチレンであって、前記Ｎ−ハラミン前駆基は、イソシアヌレート基を含む、メチル化ポリスチレン。
【請求項５】
請求項１に記載のメチル化ポリスチレンであって、前記Ｎ−ハラミン前駆基は、オキサゾリジノン基を含む、メチル化ポリスチレン。
【請求項６】
請求項１に記載のメチル化ポリスチレンであって、該ポリスチレンは、ジニルベンゼンで架橋されている、メチル化ポリスチレン。
【請求項７】
請求項１に記載のメチル化ポリスチレンであって、該ポリスチレンは、約３〜約１０％架橋されている、メチル化ポリスチレン。
【請求項８】
請求項１に記載のメチル化ポリスチレンであって、該ポリスチレンは、約５〜約８％架橋されている、メチル化ポリスチレン。
【請求項９】
ペンダントＮ−ハラミン基を有する、殺菌性メチル化ポリスチレンであって、該ポリスチレンは、少なくとも３％架橋されている、ポリスチレン。
【請求項１０】
請求項９に記載の殺菌性メチル化ポリスチレンであって、前記Ｎ−ハラミン基は、ヒダントイン基を含む、殺菌性メチル化ポリスチレン。
【請求項１１】
請求項９に記載の殺菌性メチル化ポリスチレンであって、前記Ｎ−ハラミン基は、イミダゾリジノン基を含む、殺菌性メチル化ポリスチレン。
【請求項１２】
請求項９に記載の殺菌性メチル化ポリスチレンであって、前記Ｎ−ハラミン基は、オキサゾリジノン基を含む、殺菌性メチル化ポリスチレン。
【請求項１３】
請求項９に記載の殺菌性メチル化ポリスチレンであって、前記Ｎ−ハラミン基は、イソシアヌレート基を含む、殺菌性メチル化ポリスチレン。
【請求項１４】
請求項９に記載の殺菌性メチル化ポリスチレンであって、該ポリスチレンは、ジビニルベンゼンで架橋されている、メチル化ポリスチレン。
【請求項１５】
請求項９に記載の殺菌性メチル化ポリスチレンであって、該ポリスチレンは、約３〜約１０％架橋されている、殺菌性メチル化ポリスチレン。
【請求項１６】
請求項９に記載の殺菌性メチル化ポリスチレンであって、該ポリスチレンは、約５〜約８％架橋されている、殺菌性メチル化ポリスチレン。
【請求項１７】
反復単位を有するポリマーであって、該単位は、式
【化１】
2006504850.tif 000001
を有し、Ｒは、ヒダントイン基、イミダゾリジノン基、オキサゾリジノン基、またはイソシアヌレート基を含み、該ポリマーは、少なくとも３％架橋されている、ポリマー。
【請求項１８】
請求項１７に記載のポリマーであって、Ｒは、式
【化２】
2006504850.tif 000002
を有し、Ｒ１およびＲ２は、Ｃ１〜Ｃ４アルキル、フェニル、およびアリールから独立して選択され、Ｘは、水素である、ポリマー。
【請求項１９】
請求項１８に記載のポリマーであって、Ｒ１およびＲ２は、メチルである、ポリマー。
【請求項２０】
請求項１７に記載のポリマーであって、Ｒは、式
【化３】
2006504850.tif 000003
を有し、Ｒ１およびＲ２は、Ｃ１〜Ｃ４アルキル、フェニル、およびアリールから独立して選択され、Ｘは、塩素または臭素である、ポリマー。
【請求項２１】
請求項２０に記載のポリマーであって、Ｒ１およびＲ２は、メチルである、ポリマー。
【請求項２２】
請求項１７に記載のポリマーであって、Ｒは、式
【化４】
2006504850.tif 000004
を有し、Ｒ１およびＲ２は、Ｃ１〜Ｃ４アルキル、フェニル、およびアリールから独立して選択され、Ｘは、水素である、ポリマー。
【請求項２３】
請求項２２に記載のポリマーであって、Ｒ１およびＲ２は、メチルである、ポリマー。
【請求項２４】
請求項１７に記載のポリマーであって、Ｒは、式
【化５】
2006504850.tif 000005
を有し、Ｒ１およびＲ２は、Ｃ１〜Ｃ４アルキル、フェニル、およびアリールから独立して選択され、Ｘは、塩素または臭素である、ポリマー。
【請求項２５】
請求項２４に記載のポリマーであって、Ｒ１およびＲ２は、メチルである、ポリマー。
【請求項２６】
請求項１７に記載のポリマーであって、Ｒは、式
【化６】
2006504850.tif 000006
を有し、Ｒ１、Ｒ２、Ｒ３、およびＲ４は、Ｃ１〜Ｃ４アルキル、フェニル、およびアリールから独立して選択され、かつＸは、水素である、ポリマー。
【請求項２７】
請求項２６に記載のポリマーであって、Ｒ１、Ｒ２、Ｒ３、およびＲ４は、メチルである、ポリマー。
【請求項２８】
請求項１７に記載のポリマーであって、Ｒは、式
【化７】
2006504850.tif 000007
を有し、Ｒ１、Ｒ２、Ｒ３、およびＲ４は、Ｃ１〜Ｃ４アルキル、フェニル、およびアリールから独立して選択され、Ｘは、塩素または臭素である、ポリマー。
【請求項２９】
請求項２８に記載のポリマーであって、Ｒ１、Ｒ２、Ｒ３、およびＲ４は、メチルである、ポリマー。
【請求項３０】
請求項１７に記載のポリマーであって、Ｒは、式
【化８】
2006504850.tif 000008
を有し、Ｒ１は、Ｃ１〜Ｃ４アルキル、フェニル、およびアリールから選択され、Ｘは、水素である、ポリマー。
【請求項３１】
請求項３０に記載のポリマーであって、Ｒ１は、メチルまたはエチルである、ポリマー。
【請求項３２】
請求項１７に記載のポリマーであって、Ｒは、式
【化９】
2006504850.tif 000009
を有し、Ｒ１は、Ｃ１〜Ｃ４アルキル、フェニル、およびアリールから選択され、Ｘは、塩素または臭素である、ポリマー。
【請求項３３】
請求項３２に記載のポリマーであって、Ｒ１は、メチルまたはエチルである、ポリマー。
【請求項３４】
請求項１７に記載のポリマーであって、Ｒは、式
【化１０】
2006504850.tif 000010
を有し、Ｘは、水素である、ポリマー。
【請求項３５】
請求項１７に記載のポリマーであって、Ｒは、式
【化１１】
2006504850.tif 000011
を有し、少なくとも一つのＸは、塩素または臭素である、ポリマー。
【請求項３６】
ペンダントＮ−ハラミン前駆基を有するメチレン化ポリスチレンを製造する方法であって、該方法は、
官能化メチル化ポリスチレンとＮ−ハラミン前駆体およびアルカリ金属塩基とを反応させて、ペンダントＮ−ハラミン前駆基を有するメチル化ポリスチレンを生成する工程、
を包含する、方法。
【請求項３７】
請求項３６に記載の方法であって、前記官能化メチル化ポリスチレンは、ポリ（クロロメチル）スチレンを含む、方法。
【請求項３８】
請求項３６に記載の方法であって、前記Ｎ−ハラミン前駆体は、ヒダントイン基、イミダゾリジノン基、オキサゾリジノン基、またはイソシアヌレート基を含む、方法。
【請求項３９】
請求項３６に記載の方法であって、前記反応は、約７０〜約１２０℃の温度で約１２〜約９６時間生じる、方法。
【請求項４０】
ペンダントＮ−ハラミン基を有する殺菌性メチル化ポリスチレンを製造する方法であって、該方法は、
官能化メチル化ポリスチレンとＮ−ハラミン前駆体およびアルカリ金属塩基とを反応させ、ペンダントＮ−ハラミン前駆体を有するメチル化ポリスチレンを生成する工程、ならびに
該ペンダントＮ−ハラミン前駆体を有するメチル化ポリスチレンをハロゲン化させて、該ペンダントＮ−ハラミン基を有する殺菌性メチル化ポリスチレンを生成する工程、
を包含する、方法。
【請求項４１】
請求項４０に記載の方法であって、前記官能化メチル化ポリスチレンは、ポリ（クロロメチル）スチレンを含む、方法。
【請求項４２】
請求項４０に記載の方法であって、前記Ｎ−ハラミン前駆体は、ヒダントイン基、イミダゾリジノン基、オキサゾリジノン基、またはイソシアヌレート基を含む、方法。
【請求項４３】
請求項４０に記載の方法であって、前記アルカリ金属塩基は、炭酸塩を含む、方法。
【請求項４４】
請求項４０に記載の方法であって、前記アルカリ金属塩基は、水酸化物を含む、方法。
【請求項４５】
請求項４０に記載の方法であって、前記アルカリ金属塩基は、水素化物を含む、方法。
【請求項４６】
請求項４０に記載の方法であって、前記アルカリ金属塩基は、ナトリウム塩基またはカリウム塩基を含む、方法。
【請求項４７】
請求項４０に記載の方法であって、前記反応は、無水ジメチルホルムアミド中で生じる、方法。
【請求項４８】
請求項４０に記載の方法であって、前記反応は、無水ジメチルスルホキシド中で生じる、方法。
【請求項４９】
請求項４０に記載の方法であって、前記反応は、約７０℃〜約１２０℃の温度で約１２時間〜約９６時間生じる、方法。
【請求項５０】
ペンダントＮ−ハラミン前駆基を有するメチル化ポリスチレンを製造する方法であって、該方法は、
Ｎ−ハラミン前駆体とアルカリ金属塩基とを反応させて該Ｎ−ハラミン前駆体のアルカリ金属塩を生成する工程；および
該Ｎ−ハラミン前駆体のアルカリ金属塩と官能化メチル化ポリスチレンとを反応させて、ペンダントＮ−ハラミン前駆基を有するメチル化ポリスチレンを生成する工程、
を包含する、方法。
【請求項５１】
請求項５０に記載の方法であって、前記官能化メチル化ポリスチレンは、ポリ（クロロメチル）スチレンを含む、方法。
【請求項５２】
請求項５０に記載の方法であって、前記Ｎ−ハラミン前駆体は、ヒダントイン基、イミダゾリジノン基、オキサゾリジノン基、またはイソシアヌレート基を含む、方法。
【請求項５３】
請求項５０に記載の方法であって、前記Ｎ−ハラミン前駆体と前記アルカリ金属塩基との反応は、約２５℃〜約１００℃の温度で約１５分間〜約２時間生じる、方法。
【請求項５４】
請求項５０に記載の方法であって、前記アルカリ金属塩と前記メチル化ポリスチレンとの反応は、約７０℃〜約１２０℃の温度で約４時間〜約９６時間生じる、方法。
【請求項５５】
ペンダントＮ−ハラミン基を有する殺菌性メチル化ポリスチレンを製造するための方法であって、該方法は、
Ｎ−ハラミン前駆体とアルカリ金属塩基とを反応させて、該Ｎ−ハラミン前駆体のアルカリ金属塩を生成する工程；
該Ｎ−ハラミン前駆体のアルカリ金属塩と官能化メチル化ポリスチレンとを反応させて、ペンダントＮ−ハラミン前駆基を有するメチル化ポリスチレンを生成する工程；および
該ペンダントＮ−ハラミン前駆基を有するメチル化ポリスチレンをハロゲン化させて、該ペンダントＮ−ハラミン前駆基を有する殺菌性メチル化ポリスチレンを生成する工程、を包含する、方法。
【請求項５６】
請求項５５に記載の方法であって、前記官能化メチル化ポリスチレンは、ポリ（クロロメチル）スチレンを含む、方法。
【請求項５７】
請求項５５に記載の方法であって、前記Ｎ−ハラミン前駆体は、ヒダントイン基、イミダゾリジノン基、オキサゾリジノン基、またはイソシアヌレート基を含む、方法。
【請求項５８】
請求項５５に記載の方法であって、前記アルカリ金属塩基は、炭酸塩を含む、方法。
【請求項５９】
請求項５５に記載の方法であって、前記アルカリ金属塩基は、水酸化物を含む、方法。
【請求項６０】
請求項５５に記載の方法であって、前記アルカリ金属塩基は、水素化物を含む、方法。
【請求項６１】
請求項５５に記載の方法であって、前記アルカリ金属塩基は、ナトリウム塩基またはカリウム塩基を含む、方法。
【請求項６２】
請求項５５に記載の方法であって、前記アルカリ金属塩と前記メチル化ポリスチレンとの反応は、無水ジメチルホルムアミド中で生じる、方法。
【請求項６３】
請求項５５に記載の方法であって、前記アルカリ金属塩と前記メチル化ポリスチレンとの反応は、無水ジメチルスルホキシド中で生じる、方法。
【請求項６４】
請求項５５に記載の方法であって、前記Ｎ−ハラミン前駆体と前記アルカリ金属塩基との反応は、約２５℃〜約１００℃の温度で約１５分間〜約２時間生じる、方法。
【請求項６５】
請求項５５に記載の方法であって、前記アルカリ金属塩と前記メチル化ポリスチレンとの反応は、約７０℃〜約１２０℃の温度で約４時間〜約９６時間生じる、方法。
【請求項６６】
吸収性物品であって、該吸収性物品は、ペンダントＮ−ハラミン前駆基を有するメチル化ポリスチレンを含む、吸収性物品。
【請求項６７】
請求項６６に記載の吸収性物品であって、該吸収性物品は、吸収性材料をさらに含む、吸収性物品。
【請求項６８】
請求項６７に記載の吸収性物品であって、前記吸収性材料は、セルロースを含む、吸収性物品。
【請求項６９】
請求項６７に記載の吸収性物品であって、前記吸収性材料は、超吸収性ポリマーを含む、吸収性物品。
【請求項７０】
吸収性物品であって、該吸収性物品は、ペンダントＮ−ハラミン基を有する殺菌性メチル化ポリスチレンを含む、吸収性物品。
【請求項７１】
請求項７０に記載の吸収性物品であって、該吸収性物品は、吸収性材料をさらに含む、吸収性物品。
【請求項７２】
請求項７１に記載の吸収性物品であって、前記吸収性材料は、セルロースを含む、吸収性物品。
【請求項７３】
請求項７１に記載の吸収性物品であって、前記吸収性材料は、超吸収性ポリマーを含む、吸収性物品。
【請求項７４】
Ｎ−ハラミン前駆基を有するポリスチレンであって、該Ｎ−ハラミン前駆基は、該ポリスチレンのベンゼン環のうち少なくともいくつかに対してメチレン基によって結合されている、ポリスチレン。
【請求項７５】
殺菌性Ｎ−ハラミン基を有するポリスチレンであって、該殺菌性Ｎ−ハラミン基は、該ポリスチレンのベンゼン環のうち少なくともいくつかに対してメチレン基によって結合されており、該ポリスチレンは、少なくとも３％架橋されている、ポリスチレン。
【請求項７６】
反復単位を有するメチル化ポリスチレンであって、該単位は、式
【化１２】
2006504850.tif 000012
を有し、Ｒは、ヒダントイン基、イミダゾリジノン基、オキサゾリジノン基、またはイソシアヌレート基を含む、メチル化ポリスチレン。